(57)【特許請求の範囲】
【請求項１】
相互に音声送信が可能な発信側と着信側の通信端末装置を備える通信システムにおいて、
前記発信側の通信端末装置は、
着信側の通信端末装置に対して発信する制御を行う発信制御手段と、
前記発信制御手段の制御下で行われる発信の際に、着信側の通信端末装置にて自動的に起動する自動起動プログラムの情報を該着信側の通信端末装置宛に送信する制御を行うプログラム送信制御手段と、
を備え、
前記自動起動プログラムは、着信側の通信端末装置にて起動すると、前記発信側の通信端末装置から該着信側の通信端末装置への一方向のみの音声送信が可能な一方向応答状態とさせる処理を実現させ、更に、
前記着信側の通信端末装置は、
当該着信側の通信端末装置がマナーモードに設定されている状態のときに、発信側の通信端末装置より前記自動起動プログラムの情報を受信した場合に、当該着信側の通信端末装置がマナーモードである旨を示すマナーモード情報を前記発信側の通信端末装置宛に送信する制御を行うマナーモード情報送信制御手段を備え、
前記発信側の通信端末装置は、
前記着信側の通信端末装置より前記マナーモード情報を受信した場合に、該着信側の通信端末装置がマナーモードである旨を報知する制御を行うマナーモード報知制御手段を備えることを特徴とする通信システム。
【請求項２】
前記着信側の通信端末装置は、
前記一方向応答状態となった場合に、その旨を示す一方向応答状態情報を前記発信側の通信端末装置宛に送信する制御を行う一方向応答状態情報送信制御手段を備え、
前記発信側の通信端末装置は、
前記着信側の通信端末装置より一方向応答状態情報を受信した場合に、前記一方向応答状態となった旨を使用者に報知する一方向応答状態報知制御手段を備えることを特徴とする請求項１に記載の通信システム。
【請求項３】
前記自動起動プログラムは、前記着信側の通信端末装置にて使用者により応答操作がなされた場合に、該着信側の通信端末装置と前記発信側の通信端末装置との間で双方向の音声送信が可能な状態とさせる処理を実現させることを特徴とする請求項１又は２に記載の通信システム。
【請求項４】
前記プログラム送信制御手段は、前記自動起動プログラムの情報を、電子メールに添付して着信側の通信端末装置宛に送信することを特徴とする請求項１乃至３の何れか一項に記載の通信システム。
【請求項５】
前記発信側の通信端末装置は、
画像を撮像する撮像手段と、
前記一方向応答状態となった後に前記撮像手段に撮像を行わせる撮像制御手段と、
前記撮像制御手段の制御下で前記撮像手段により撮像された画像を前記着信側の通信端末装置宛に送信する制御を行う画像送信制御手段と、
を備え、
前記着信側の通信端末装置は、
表示動作を行う表示手段と、
前記発信側の通信端末装置より画像を受信した場合に、該画像を前記表示手段に表示させる制御を行う表示制御手段と、
を備えることを特徴とする請求項１乃至４の何れか一項に記載の通信システム。
【請求項６】
前記発信側の通信端末装置は、
画像を撮像する撮像手段と、
前記着信側の通信端末装置より前記一方向応答状態情報を受信した場合に、前記撮像手段に撮像を行わせる撮像制御手段と、
前記撮像制御手段の制御下で前記撮像手段により撮像された画像を前記着信側の通信端末装置宛に送信する制御を行う画像送信制御手段と、
を備え、
前記着信側の通信端末装置は、
表示動作を行う表示手段と、
前記発信側の通信端末装置より画像を受信した場合に、該画像を前記表示手段に表示させる制御を行う表示制御手段と、
を備えることを特徴とする請求項１乃至４の何れか一項に記載の通信システム。
【請求項７】
請求項１乃至６の何れか一項に記載の通信システムにおける発信側の通信端末装置。
【請求項８】
請求項１乃至６の何れか一項に記載の通信システムにおける着信側の通信端末装置。
【請求項９】
請求項１乃至６の何れか一項に記載の通信システムにおける発信側の通信端末装置と着信側の通信端末装置の双方の機能を備えることを特徴とする通信端末装置。
【請求項１０】
相互に音声送信が可能な発信側と着信側の通信端末装置の間で通信を行う方法において、
前記発信側の通信端末装置が、前記着信側の通信端末装置に対する発信の際に、着信側の通信端末装置にて自動的に起動する自動起動プログラムの情報を該着信側の通信端末装置宛に送信する第１の過程と、
前記自動起動プログラムが、着信側の通信端末装置にて起動し、前記発信側の通信端末装置から該着信側の通信端末装置への一方向のみの音声送信が可能な一方向応答状態とさせる処理を行う第２の過程と、を備え、
前記着信側の通信端末装置が、当該着信側の通信端末装置がマナーモードに設定されている状態のときに発信側の通信端末装置より前記自動起動プログラムの情報を受信した場合、当該着信側の通信端末装置がマナーモードである旨を示すマナーモード情報を前記発信側の通信端末装置宛に送信し、
前記発信側の通信端末装置が前記着信側の通信端末装置より前記マナーモード情報を受信した場合、該着信側の通信端末装置がマナーモードである旨を報知する、
通信方法。
【請求項１１】
前記一方向応答状態となった場合に、その旨を示す一方向応答状態情報を前記着信側の通信端末装置から前記発信側の通信端末装置宛に送信する第３の過程と、
前記発信側の通信端末装置が、前記着信側の通信端末装置より前記一方向応答状態情報を受信した場合に、前記一方向応答状態となった旨を使用者に報知する第４の過程と、
を備えることを特徴とする請求項１０に記載の通信方法。
【請求項１２】
前記着信側の通信端末装置にて使用者により応答操作がなされた場合に、該着信側の通信端末装置と前記発信側の通信端末装置との間で双方向の音声送信が可能な状態とする第５の過程を備えることを特徴とする請求項１０又は１１に記載の通信方法。
【請求項１３】
前記第１の過程では、前記自動起動プログラムの情報を、電子メールに添付して着信側の通信端末装置宛に送信することを特徴とする請求項１０乃至１２の何れか一項に記載の通信方法。
【請求項１４】
前記発信側の通信端末装置が、前記一方向応答状態となった後に当該発信側の通信端末装置が備える撮像手段による撮像を行う第６の過程と、
前記第６の過程にて撮像された画像を前記発信側の通信端末装置が前記着信側の通信端末装置宛に送信する第７の過程と、
前記着信側の通信端末装置が、前記発信側の通信端末装置より画像を受信した場合に、該画像を当該発信側の通信端末装置が備える表示手段に表示させる第８の過程と、
を備えることを特徴とする請求項１０乃至１３の何れか一項に記載の通信方法。
【請求項１５】
コンピュータが実行可能なプログラムにおいて、
請求項１乃至６の何れか一項に記載の通信システムにおける自動起動プログラム。
【請求項１６】
コンピュータが実行可能なプログラムにおいて、
請求項１乃至６の何れか一項に記載の通信システムにおける発信側の通信端末装置の動作を実現させることを特徴とするプログラム。
【請求項１７】
コンピュータが実行可能なプログラムにおいて、
請求項１乃至６の何れか一項に記載の通信システムにおける着信側の通信端末装置の動作を実現させることを特徴とするプログラム。
【請求項１８】
コンピュータが実行可能なプログラムにおいて、
請求項１乃至６の何れか一項に記載の通信システムにおける発信側の通信端末装置と着信側の通信端末装置の双方の動作を実現させることを特徴とするプログラム。
【発明の詳細な説明】
【技術分野】
【０００１】
本発明は、通信システム、通信端末装置、通信方法及びプログラムに関する。
【背景技術】
【０００２】
携帯電話機或いはその他の通信端末装置においては、発信者を判別するなどの目的で、様々な着信音が利用されている。
【０００３】
また、発信者別に着信音の設定を変更することが可能な通信端末装置も存在する。
【０００４】
更に、例えば、特許文献１には、発信者が作成した着信音を発呼信号に含ませて発呼し、着信側が応答するまでこの着信音で着信側を呼び出す技術が開示されている。
【特許文献１】特開２０００−１９７１３５号公報
【発明の開示】
【発明が解決しようとする課題】
【０００５】
しかしながら、発信者別に着信音の設定を変更する技術、並びに、特許文献１の技術では、発信者と着信音との対応関係を使用者が記憶していなければ役に立たないという問題がある。
【０００６】
更に、特許文献１の技術では、発信者が作成した着信音が登録された通信端末装置を用いれば、該通信端末装置の所有者でなくても同様の着信音での発信が可能である。このことは、発信者別に着信音の設定を変更する技術においても同様である。
【０００７】
このため、その通信端末装置を他人に貸した場合や、或いは、その通信端末装置が奪われてしまった場合などには、所有者以外が発信者になりすまして発信することが可能となり、いたずらや迷惑行為を容易に行うことなども可能となっていた。
【０００８】
本発明は、上記のような問題点を解決するためになされたもので、発信者の判別を容易かつ確実に行うことが可能な通信端末装置及び通信システムを提供することを目的とする。
【課題を解決するための手段】
【０００９】
上記課題を解決するため、本発明の通信システムは、相互に音声送信が可能な発信側と着信側の通信端末装置を備える通信システムにおいて、前記発信側の通信端末装置は、着信側の通信端末装置に対して発信する制御を行う発信制御手段と、前記発信制御手段の制御下で行われる発信の際に、着信側の通信端末装置にて自動的に起動する自動起動プログラムの情報を該着信側の通信端末装置宛に送信する制御を行うプログラム送信制御手段と、を備え、前記自動起動プログラムは、着信側の通信端末装置にて起動すると、前記発信側の通信端末装置から該着信側の通信端末装置への一方向のみの音声送信が可能な一方向応答状態とさせる処理を実現させることを特徴としている。
【００１０】
本発明の通信システムにおいては、前記着信側の通信端末装置は、前記一方向応答状態となった場合に、その旨を示す一方向応答状態情報を前記発信側の通信端末装置宛に送信する制御を行う一方向応答状態情報送信制御手段を備え、前記発信側の通信端末装置は、前記前記着信側の通信端末装置より一方向応答状態情報を受信した場合に、前記一方向応答状態となった旨を使用者に報知する一方向応答状態報知制御手段を備えることが好ましい。
【００１１】
本発明の通信システムにおいては、前記自動起動プログラムは、前記着信側の通信端末装置にて使用者により応答操作がなされた場合に、該着信側の通信端末装置と前記発信側の通信端末装置との間で双方向の音声送信が可能な状態とさせる処理を実現させることが好ましい。
【００１２】
本発明の通信システムにおいては、前記プログラム送信制御手段は、前記自動起動プログラムの情報を、電子メールに添付して着信側の通信端末装置宛に送信することが好ましい。
【００１３】
本発明の通信システムにおいては、前記着信側の通信端末装置は、当該着信側の通信端末装置がマナーモードに設定されている状態のときに、発信側の通信端末装置より前記自動起動プログラムの情報を受信した場合に、当該着信側の通信端末装置がマナーモードである旨を示すマナーモード情報を前記発信側の通信端末装置宛に送信する制御を行うマナーモード情報送信制御手段を備え、前記発信側の通信端末装置は、前記着信側の通信端末装置より前記マナーモード情報を受信した場合に、該着信側の通信端末装置がマナーモードである旨を報知する制御を行うマナーモード報知制御手段を備えることが好ましい。
【００１４】
本発明の通信システムにおいては、前記発信側の通信端末装置は、画像を撮像する撮像手段と、前記発信制御手段の制御下で行われる発信と関連するタイミングで前記撮像手段に撮像を行わせる撮像制御手段と、前記撮像制御手段の制御下で前記撮像手段により撮像された画像を前記着信側の通信端末装置宛に送信する制御を行う画像送信制御手段と、を備え、前記着信側の通信端末装置は、表示動作を行う表示手段と、前記発信側の通信端末装置より画像を受信した場合に、該画像を前記表示手段に表示させる制御を行う表示制御手段と、を備えることが好ましい。
【００１５】
本発明の通信システムにおいては、前記発信側の通信端末装置は、画像を撮像する撮像手段と、前記着信側の通信端末装置より前記一方向応答状態情報を受信した場合に、前記撮像手段に撮像を行わせる撮像制御手段と、前記撮像制御手段の制御下で前記撮像手段により撮像された画像を前記着信側の通信端末装置宛に送信する制御を行う画像送信制御手段と、を備え、前記着信側の通信端末装置は、表示動作を行う表示手段と、前記発信側の通信端末装置より画像を受信した場合に、該画像を前記表示手段に表示させる制御を行う表示制御手段と、を備えることも好ましい。
【００１６】
本発明の通信端末装置は、本発明の通信システムにおける発信側或いは着信側の通信端末装置であることを特徴としている。
【００１７】
本発明の通信方法は、相互に音声送信が可能な発信側と着信側の通信端末装置の間で通信を行う方法において、前記発信側の通信端末装置が、前記着信側の通信端末装置に対する発信の際に、着信側の通信端末装置にて自動的に起動する自動起動プログラムの情報を該着信側の通信端末装置宛に送信する第１の過程と、前記自動起動プログラムが、着信側の通信端末装置にて起動し、前記発信側の通信端末装置から該着信側の通信端末装置への一方向のみの音声送信が可能な一方向応答状態とさせる処理を行う第２の過程と、を備えることを特徴としている。
【００１８】
本発明の通信方法においては、前記一方向応答状態となった場合に、その旨を示す一方向応答状態情報を前記着信側の通信端末装置から前記発信側の通信端末装置宛に送信する第３の過程と、前記発信側の通信端末装置が、前記前記着信側の通信端末装置より前記一方向応答状態情報を受信した場合に、前記一方向応答状態となった旨を使用者に報知する第４の過程と、を備えることが好ましい。
【００１９】
本発明の通信方法においては、前記着信側の通信端末装置にて使用者により応答操作がなされた場合に、該着信側の通信端末装置と前記発信側の通信端末装置との間で双方向の音声送信が可能な状態とする第５の過程を備えることが好ましい。
【００２０】
本発明の通信方法においては、前記第１の過程では、前記自動起動プログラムの情報を、電子メールに添付して着信側の通信端末装置宛に送信することが好ましい。
【００２１】
本発明の通信方法においては、前記着信側の通信端末装置が、当該着信側の通信端末装置がマナーモードに設定されている状態のときに発信側の通信端末装置より前記自動起動プログラムの情報を受信した場合に、当該着信側の通信端末装置がマナーモードである旨を示すマナーモード情報を前記発信側の通信端末装置宛に送信する第６の過程と、前記発信側の通信端末装置が前記着信側の通信端末装置より前記マナーモード情報を受信した場合に、該着信側の通信端末装置がマナーモードである旨を報知する第７の過程と、を備えることが好ましい。
【００２２】
本発明の通信方法においては、前記発信側の通信端末装置が、前記第１の過程と関連するタイミングで、当該発信側の通信端末装置が備える撮像手段による撮像を行う第８の過程と、前記第８の過程にて撮像された画像を前記発信側の通信端末装置が前記着信側の通信端末装置宛に送信する第９の過程と、前記着信側の通信端末装置が、前記発信側の通信端末装置より画像を受信した場合に、該画像を当該発信側の通信端末装置が備える表示手段に表示させる第１０の過程と、を備えることが好ましい。
【００２３】
本発明のプログラムは、コンピュータが実行可能なプログラムにおいて、本発明の通信システムにおける前記自動起動プログラムであることを特徴としている。
【００２４】
また、本発明のプログラムは、コンピュータが実行可能なプログラムにおいて、本発明の通信システムにおける発信側の通信端末装置の動作を実現させるプログラムであることを特徴としている。
【００２５】
本発明のプログラムは、コンピュータが実行可能なプログラムにおいて、本発明の通信システムにおける着信側の通信端末装置の動作を実現させるプログラムであることを特徴としている。
【発明の効果】
【００２６】
本発明によれば、発信側の通信端末装置は、着信側の通信端末装置に対して発信する制御を行う発信制御手段と、発信制御手段による発信の際に、着信側の通信端末装置にて自動的に起動する自動起動プログラムの情報を該着信側の通信端末装置宛に送信する制御を行うプログラム送信制御手段と、を備え、自動起動プログラムは、着信側の通信端末装置にて起動すると、発信側の通信端末装置から着信側の通信端末装置への一方向のみの音声送信が可能な一方向応答状態とさせる処理を行う。従って、発信側の通信端末装置にてリアルタイムに採取される音声を、着信側の通信端末装置での着信音とすることができるので、着信側の通信端末装置の使用者は、音声を聞き分けることにより発信者の識別を容易かつ確実に行うことができ、いたずらや迷惑行為の対策ともなる。また、個人毎の着信音の設定を覚えておく必要もない。
【発明を実施するための最良の形態】
【００２７】
以下、図面を参照して、本発明に係る実施形態について説明する。
【００２８】
〔第１の実施形態〕
図１は第１の実施形態に係る携帯電話機（通信端末装置）１００の構成を示すブロック図である。
【００２９】
図１に示すように、第１の実施形態に係る携帯電話機１００は、無線通信を行う無線部１０と、受話部（マイク）２０と、発音部（スピーカ）３０と、使用者が操作を行うための操作部４０と、各種の制御を行う制御部５０と、表示部７０と、を備えて構成されている。
【００３０】
無線部１０は、アンテナを備え、制御部５０の制御下で、通話の発信、通話時の音声の送受信、電子メールの送受信、画像（画像データ）の送受信などを行う。
【００３１】
受話部２０は、使用者の声などの音声を採取し、その音声信号を制御部５０に入力する。
【００３２】
発音部３０は、制御部５０の制御下で、通話の相手先の音声或いはその他の発音動作を行う。
【００３３】
表示部７０は、制御部５０の制御下で、各種の表示動作を行う。
【００３４】
操作部４０は、例えば、複数の操作キーを備えて構成され、使用者による発信などの操作を検出し、その検出信号を制御部５０に入力する。
【００３５】
制御部５０は、制御動作を実行するＣＰＵ、ＣＰＵの動作用プログラム（プログラム）を格納したＲＯＭ、及び、ＣＰＵの作業領域などとして機能するＲＡＭを備えて構成され、操作部４０からの検出信号や、無線部１０にて受信された無線信号に応じて、各種の制御を行う。
【００３６】
図２は、発信側及び着信側の携帯電話機１００の動作を説明するための模式図である。発信側及び着信側の携帯電話機１００は同一のものであるが、説明を分かりやすくするため、以下では、発信側の携帯電話機１００を携帯電話機１００Ａ、着信側の携帯電話機１００を携帯電話機１００Ｂとする。携帯電話機１００Ａと１００Ｂにより、本実施形態に係る通信システムが構成される。
【００３７】
なお、以下の説明において、携帯電話機１００Ａと携帯電話機１００Ｂとの間の情報の送受信は、図示を省略する通信回線網を介して行われる。
【００３８】
先ず、発信側の携帯電話機１００Ａにおいて、使用者（発信者Ａ）が発信の操作を行い、その検出信号が操作部４０から制御部５０に入力されると、制御部５０は、発信動作を無線部１０に行わせる制御を行う。すなわち、制御部５０は、発信制御手段５１（図１）としての機能を備える。
【００３９】
無線部１０は、制御部５０からの指令に従って、発信動作を行う。
【００４０】
また、制御部５０は、発信動作を無線部１０に行わせる制御を行う一方で、着信側の携帯電話機１００Ｂにて自動的に起動する自動起動プログラム８０（図２）の情報を該携帯電話機１００Ｂ宛に送信させる制御を行う。ここで、具体的には、制御部５０は、自動起動プログラム８０が添付された電子メール８１（図２）を携帯電話機１００Ｂ宛に送信させる制御を無線部１０に対して行う。このように、制御部５０は、プログラム送信制御手段５２（図１）としての機能も備える。
【００４１】
続いて、着信側の携帯電話機１００Ｂにて、自動起動プログラム８０が添付された電子メール８１を受信すると、該携帯電話機１００Ｂの制御部５０は、電子メール８１を開封する。すると、自動起動プログラム８０が自動的に起動する。
【００４２】
すると、携帯電話機１００Ｂの制御部５０は、自動起動プログラム８０に従って、発信側の通信端末装置Ａから着信側の通信端末装置Ｂへの一方向のみの音声送信が可能な一方向応答状態とさせる制御を無線部１０に対して行う。
【００４３】
更に、携帯電話機１００Ｂの制御部５０は、一方向応答状態とさせる処理を行う一方で、一方向応答状態となった旨を示す一方向応答状態情報８２（図２）を発信側の携帯電話機１００Ａ宛に送信させる制御を無線部１０に対して行う。すなわち、制御部５０は、一方向応答状態情報送信手段５３（図１）としての機能も備える。
【００４４】
続いて、発信側の携帯電話機１００Ａにて、一方向応答状態情報８２を受信すると、制御部５０は、一方向応答状態となった旨を発信者Ａに報知する動作を表示部７０及び発音部３０に行わせる制御を行う。具体的には、制御部５０は、例えば、「応答状態となりましたの呼びかけコールができます。」との報知メッセージの表示を表示部７０に行わせたり、所定の報知音を発音部３０に行わせたりする。このように、制御部５０は、一方向応答状態報知制御手段５４（図１）としての機能も備える。
【００４５】
これらの報知を確認した発信者Ａが、携帯電話機１００Ａの受話部２０に何らかの音声呼びかけ（呼びかけコール）を行うと、その音声が通話状態の携帯電話機１００Ｂの発音部３０より発音され、着信音と同様の働きをする。
【００４６】
よって、着信側の携帯電話機１００Ｂの使用者（着信者Ｂ）は、着信状態となっていることを認識することができるとともに、その声に聞き覚えがあるか否かなどを判別することができる。
【００４７】
続いて、着信者Ｂは、電話に出たいと判断した場合のみ操作部４０の応答キー（図示略）を操作する。すると、携帯電話機１００Ｂの制御部５０は、携帯電話機１００Ｂと携帯電話機１００Ａとの間で双方向の音声送信が可能な状態とさせる制御、すなわち、通話状態とさせる制御を無線部１０に対して行い、これにより、携帯電話機１００Ｂと携帯電話機１００Ａとが通話状態となる。このように、自動起動プログラムは、着信側の携帯電話機１００Ｂにて使用者により応答操作がなされた場合に、該着信側の携帯電話機１００Ｂと発信側の携帯電話機１００Ａとの間で双方向の音声送信が可能な状態とさせる処理を実現させる。
【００４８】
なお、着信側の携帯電話機１００Ｂにて、自動起動プログラム８０を受信した際に、該携帯電話機１００Ｂがマナーモードに設定されている場合には、携帯電話機１００Ｂの制御部５０は、マナーモードである旨を示すマナーモード情報８３を発信側の携帯電話機１００Ａ宛に送信させる制御を無線部１０に対して行う。すなわち、制御部５０は、マナーモード情報送信制御手段５５としての機能も備える。
【００４９】
続いて、発信側の携帯電話機１００Ａにて、マナーモード情報８３を受信すると、制御部５０は、着信側の携帯電話機１００Ｂがマナーモードである旨を報知する動作を表示部７０及び発音部３０に行わせる制御を行う。具体的には、制御部５０は、例えば、「相手の電話機は現在マナーモードに設定されているため、呼びかけコールができません。」との報知メッセージの表示を表示部７０に行わせたり、所定の報知音を発音部３０に行わせたりする。このように、制御部５０は、マナーモード報知制御手段５６としての機能も備える。
【００５０】
次に、上記の動作について、フローチャートを参照して説明する。
【００５１】
図３は発信側の携帯電話機１００Ａの動作を示すフローチャートである（ただし、ステップＳ１０４〜Ｓ１０６は着信側の携帯電話機１００Ｂの動作である）。
【００５２】
図３に示すように、先ず、発信者Ａの携帯電話機１００Ａがスタンバイ状態のときに（ステップＳ１０１）、発信者Ａが携帯電話機１００Ａを操作することにより、該携帯電話機１００Ａより着信者Ｂの携帯電話機１００Ｂへ発信する。
【００５３】
ここで、発信者Ａは、呼びかけコールによる発信をするか、或いは、従来の一般的な発信（着信音が予め登録された着信メロディなどの音声となる発信）をするかを携帯電話機１００Ａに対する操作により選択することが可能である。
【００５４】
ここでは、呼びかけコールを選択し発信するものとする（ステップＳ１０２）。
【００５５】
すると、携帯電話機１００Ａは、発信と同時に携帯電話機１００Ｂ宛に電子メールを送信する（ステップＳ１０３）。すなわち、自動起動プログラム８０が添付された電子メール８１を送信する。
【００５６】
次に、携帯電話機１００Ｂにて、電子メール８１を受信すると（ステップＳ１０４）、該電子メール８１に添付されている自動起動プログラム８０が自動的に起動する（ステップＳ１０５）。
【００５７】
すると、プログラムに従い、携帯電話機１００Ｂは、携帯電話機１００Ａと応答状態となる（ステップＳ１０６）。
なお、上記ステップＳ１０４〜Ｓ１０６は着信側の携帯電話機１００Ｂの動作であり、着信側の携帯電話機１００Ｂの動作を示す図４のステップＳ２０２〜Ｓ２０４に対応する。
【００５８】
この段階では、発信者側の携帯電話機１００Ａからのみ、音声が着信者側の携帯電話機１００Ｂに出力され、この音声が着信音と同じ働きをすることが可能となる（ステップＳ１０７）。
【００５９】
すなわち、発信者Ａが何らかの声を発したりすることにより、呼びかけコールを行うことができる（ステップＳ１０８）。
【００６０】
この段階では、着信者Ｂの音声は携帯電話機１００Ａにて出力する事は出来ず、着信者Ｂが携帯電話機１００Ｂの応答キーを押し回線が繋がった時点で始めて通話状態となる（ステップＳ１０９）。
【００６１】
その後、操作部４０の図示しない終話キーを発信者Ａまたは着信者Ｂが操作すると、通話切断となる（ステップＳ１１０）。
【００６２】
図４は着信側の携帯電話機１００Ｂの動作を示すフローチャートである。
【００６３】
図４に示すように、先ず、着信者Ｂの携帯電話機１００Ｂがスタンバイ状態のときに（ステップＳ２０１）、発信者側の携帯電話機１００Ａからの電子メール８１を受信すると（ステップＳ２０２）、電子メール８１に添付されている自動起動プログラム８０が自動的に起動し（ステップＳ２０３）、携帯電話機１００Ｂが携帯電話機１００Ａと応答状態となり（ステップＳ２０４）、発信者Ａからの音声呼び出し音（呼びかけコール）が携帯電話機１００Ｂにて出力されるようになる（ステップＳ２０５）。
【００６４】
続いて、応答キーを押すと、携帯電話機１００Ｂは携帯電話機１００Ａと通話状態となる（ステップＳ２０６）。
【００６５】
その後、操作部４０の図示しない終話キーを発信者Ａまたは着信者Ｂが操作すると、通話切断となる（ステップＳ２０７）。
【００６６】
以上のような第１の実施形態によれば、通常の着信メロディなどではなく、発信側の携帯電話機１００Ａにてリアルタイムに採取される音声を、着信側の携帯電話機１００Ｂでの着信音とすることができるので、着信者Ｂは、音声を聞き分けることにより発信者の識別を容易かつ確実に行うことができる。
【００６７】
〔第２の実施形態〕
図５は第２の実施形態に係る携帯電話機（通信端末装置）２００の構成を示すブロック図である。
【００６８】
図５に示すように、携帯電話機２００は、上記の第１の実施形態に係る携帯電話機１００の各構成に加えて、制御部５０の制御下で画像の撮像動作を行うカメラ（撮像手段）６０を備えている。
【００６９】
本実施形態でも、発信側を携帯電話機２００Ａ、着信側を携帯電話機２００Ｂとして、以下、動作を説明する。
【００７０】
本実施形態の場合、発信側の携帯電話機２００Ａの制御部５０は、一方向応答状態情報８２（図２）を受信した場合に、カメラ６０に撮像を行わせる制御を行う。すなわち、制御部５０は、撮像制御手段５７（図５）としての機能も備える。
【００７１】
更に、発信側の携帯電話機２００Ａの制御部５０は、撮像制御手段５７の制御下でカメラ６０により撮像された画像を着信側の携帯電話機２００Ｂ宛に送信させる制御を無線部１０に対して行う。すなわち、制御部５０は、画像送信制御手段５８としての機能も備える。
【００７２】
また、着信側の携帯電話機２００Ｂの制御部は、発信側の携帯電話機２００Ａより画像を受信した場合に、この画像を表示部７０に表示させる制御を行う。すなわち、制御部５０は、表示制御手段５９としての機能も備える。
【００７３】
次に、本実施形態の場合の動作について、フローチャートを参照して説明する。
【００７４】
図６は発信側の携帯電話機２００Ａの動作を示すフローチャートである（ただし、ステップＳ３０４〜Ｓ３０６は着信側の携帯電話機２００Ｂの動作である）。
【００７５】
図６に示すように、先ず、発信者Ａの携帯電話機２００Ａがスタンバイ状態のときに（ステップＳ３０１）、発信者Ａが携帯電話機２００Ａを操作することにより、該携帯電話機２００Ａより着信者Ｂの携帯電話機２００Ｂへ呼びかけコールでの発信を行う（ステップＳ３０２）。
【００７６】
すると、携帯電話機２００Ａは、発信と同時に携帯電話機２００Ｂ宛に電子メールを送信する（ステップＳ３０３）。すなわち、自動起動プログラム８０が添付された電子メール８１を送信する。
【００７７】
次に、携帯電話機２００Ｂにて、電子メール８１を受信すると（ステップＳ３０４）、該電子メール８１に添付されている自動起動プログラム８０が自動的に起動する（ステップＳ３０５）。
【００７８】
すると、自動起動プログラム８０に従い、携帯電話機２００Ｂは、携帯電話機２００Ａと応答状態となる一方で、一方向応答状態情報８２を携帯電話機２００Ａ宛に送信する（ステップＳ３０６）。
なお、上記ステップＳ３０４〜Ｓ３０６は着信側の携帯電話機２００Ｂの動作であり、着信側の携帯電話機２００Ｂの動作を示す図７のステップＳ４０２〜Ｓ４０４に対応する。
【００７９】
この段階では、発信者側の携帯電話機２００Ａからのみ、音声が着信者側の携帯電話機２００Ｂに出力され、この音声が着信音と同じ働きをすることが可能となる（ステップＳ３０７）。
【００８０】
この段階までの動作は、上記の第１の実施形態と同様である。
【００８１】
続いて、発信者側の携帯電話機２００Ａでは、一方向応答状態情報８２を受信すると、カメラ６０が自動的に起動し、撮像動作がなされる（ステップＳ３０８）。
【００８２】
ここで、発信者側の携帯電話機２００Ａでは、一方向応答状態情報８２の受信に応じて、上記の第１の実施形態と同様に、一方向応答状態となった旨の報知がなされるので、この報知を確認した発信者Ａがカメラ６０を自分の顔に向けることにより、発信者Ａの顔を撮像することができる。
【００８３】
続いて、発信側の携帯電話機２００Ａは、カメラ６０により撮像された画像を着信側の携帯電話機２００Ｂ宛に送信する。
【００８４】
こうして、本実施形態の場合、発信者Ａは、画像と音声による呼びかけコールを実施することができる（ステップＳ３０９）。
【００８５】
すると、着信側の携帯電話機２００Ｂでは、上記の第１の実施形態と同様に、音声による呼びかけコールが発音部３０より出力されるのに加えて、携帯電話機２００Ａより受信した画像による呼びかけコールが表示部７０より出力される（ステップＳ３１０）。
【００８６】
本実施形態の場合も、この段階では、着信者Ｂの音声は携帯電話機２００Ａにて出力する事は出来ず、着信者Ｂが携帯電話機２００Ｂの応答キーを押し回線が繋がった時点で始めて通話状態となる（ステップＳ３１１）。
【００８７】
その後、操作部４０の図示しない終話キーを発信者Ａまたは着信者Ｂが操作すると、通話切断となる（ステップＳ３１２）。
【００８８】
図７は着信側の携帯電話機２００Ｂの動作を示すフローチャートである。
【００８９】
図７に示すように、先ず、着信者Ｂの携帯電話機２００Ｂがスタンバイ状態のときに（ステップＳ４０１）、発信者側の携帯電話機２００Ａからの電子メール８１を受信すると（ステップＳ４０２）、電子メール８１に添付されている自動起動プログラム８０が自動的に起動し（ステップＳ４０３）、携帯電話機２００Ｂが携帯電話機２００Ａと応答状態となり（ステップＳ４０４）、発信者Ａからの音声呼び出し音（呼びかけコール）が携帯電話機１００Ｂにて出力されるようになる（ステップＳ４０５）一方で、発信側から送信された画像が携帯電話機２００Ｂの表示部７０にて表示される（ステップＳ４０６）。なお、この表示を行う表示部（例えば、液晶表示装置（ＬＣＤ）からなる）７０は、携帯電話機２００Ｂの背面側に設けられていても良いし、正面側に設けられていても良い。
【００９０】
続いて、応答キーを押すと、携帯電話機２００Ｂは携帯電話機２００Ａと通話状態となる（ステップＳ４０７）。
【００９１】
その後、操作部４０の図示しない終話キーを発信者Ａまたは着信者Ｂが操作すると、通話切断となる（ステップＳ４０８）。
【００９２】
以上のような第２の実施形態によれば、発信者Ａの顔や周囲の風景が着信者側の携帯電話機２００Ａに画像として出力されるため、発信者が誰であり、どの様な状況で発信しているのかを容易に判別することが可能となる。
【００９３】
また、着信者側がマナーモードであった場合には音声を出力する事が出来ないが、本実施形態の場合、無音で画像のみを出力させる事が可能となり、マナーモード中でも発信者の判別を行うことができる。
【００９４】
なお、上記の実施の形態では、本発明に係る通信端末装置の一例として、携帯電話機１００，２００についてのみ説明したが、本発明はこれに限らず、例えば、ＰＨＳ、携帯型情報通信端末（ＰＤＡ）等のその他の携帯情報端末装置にも同様に適用可能である。さらに、本発明は、形態側の通信端末装置に限らず、固定設置型の通信端末装置にも同様に適用可能である。
【図面の簡単な説明】
【００９５】
【図１】第１の実施形態に係る携帯電話機の構成を示すブロック図である。
【図２】第１の実施形態の場合の動作を説明するための模式図である。
【図３】第１の実施形態の場合の発信側における動作の流れを示すフローチャートである。
【図４】第１の実施形態の場合の着信側における動作の流れを示すフローチャートである。
【図５】第２の実施形態に係る携帯電話機の構成を示すブロック図である。
【図６】第２の実施形態の場合の発信側における動作の流れを示すフローチャートである。
【図７】第２の実施形態の場合の着信側における動作の流れを示すフローチャートである。
【符号の説明】
【００９６】
５０  制御部（発信制御手段、プログラム送信制御手段、一方向応答状態情報送信手段、一方向応答状態報知手段、マナーモード情報送信手段、マナーモード報知制御手段、撮像制御手段、画像送信制御手段、表示制御手段）
６０  カメラ（撮像手段）
７０  表示部（表示手段）
８０  自動起動プログラム
８１  電子メール
８２  一方向応答状態情報
８３  マナーモード情報
【図１】
0004650251.tif 000002
【図２】
0004650251.tif 000003
【図３】
0004650251.tif 000004
【図４】
0004650251.tif 000005
【図５】
0004650251.tif 000006
【図６】
0004650251.tif 000007
【図７】
0004650251.tif 000008